(57)【特許請求の範囲】
【請求項１】
基材の一部にストライプ型ホログラムを有し、前記ストライプ型ホログラムが、前記基材の一対の対向する辺の間に、一方の前記辺から他方の前記辺にわたって貼付され、前記ストライプ型ホログラムには、ホログラム層により輪郭で囲まれて単一形態として視覚的に認識される模様領域が形成された偽造防止媒体であって、前記模様領域を、一方の前記辺の側に配置される一方側模様領域と、他方の前記辺の側に配置される他方側模様領域と、前記一方側模様領域と前記他方側模様領域との間に配置される中央側模様領域とに、分離領域によって電気的に複数に分断し、分断した前記模様領域は、分断しない場合の前記模様領域に対して、測定される静電容量の波形データに違いが生じることを特徴とする偽造防止媒体。
【発明の詳細な説明】
【技術分野】
【０００１】
本発明は、ホログラムを利用した偽造防止媒体に関する。
【背景技術】
【０００２】
例えば特許文献１には、観察方向に応じて変化する光学的効果をもたらすホログラムを偽造防止媒体に複数用いることが開示されている。また、特許文献２には、静電容量検出センサーを用いて、変造された紙幣（偽造防止媒体）を判別することが開示されている。なお、特許文献２で開示されている紙幣には、ホログラムを備えている。また、特許文献３及び特許文献４には、金属製のスレッドを偽造防止媒体に設け、静電容量の変化を計測することが開示されている。
【先行技術文献】
【特許文献】
【０００３】
【特許文献１】特表２００５−５３４５２１号公報
【特許文献２】特開２００５−１０９６８号公報
【特許文献３】特開平８−１１０３８１号公報
【特許文献４】国際公開第２０１７／１６８５９２号
【発明の概要】
【発明が解決しようとする課題】
【０００４】
特許文献１は、複数のホログラムを相互に離間させることで、視覚的に明確に区分して記憶しやすくし、セキュリティー効果を高めるものであり、静電容量による真正性を機械読み取りによって識別するものではない。特許文献２では、紙幣の厚さや紙幣に添付されるテープの誘電率を静電容量センサーで検出するものであり、ホログラムの個所についても静電容量を検出できると推測されるが、ホログラムによって形成される模様領域を電気的に複数に分断することで、静電容量による真正性を機械読み取りによって識別するものではない。特許文献３及び特許文献４は、金属製のスレッドの静電容量の変化を計測するものであるが、ホログラムによって形成される模様領域を電気的に複数に分断することで、静電容量による真正性を機械読み取りによって識別するものではない。
【０００５】
そこで、本発明は、ホログラムによって視覚的に偽造防止を図れるとともに、ホログラムによって形成される模様領域を利用して静電容量による真正性を識別できる偽造防止媒体を提供することを目的とする。
【課題を解決するための手段】
【０００６】
本発明の偽造防止媒体は、基材の一部にストライプ型ホログラムを有し、ストライプ型ホログラムが、基材の一対の対向する辺の間に、一方の辺から他方の辺にわたって貼付され、ストライプ型ホログラムには、ホログラム層により輪郭で囲まれて単一形態として視覚的に認識される模様領域が形成された偽造防止媒体であって、模様領域を、一方の辺の側に配置される一方側模様領域と、他方の辺の側に配置される他方側模様領域と、一方側模様領域と他方側模様領域との間に配置される中央側模様領域とに、分離領域によって電気的に複数に分断し、分断した模様領域は、分断しない場合の模様領域に対して、測定される静電容量の波形データに違いが生じることを特徴とする。
【発明の効果】
【０００７】
本発明の偽造防止媒体によれば、ホログラムによって視覚的に偽造防止を図れるとともに、ホログラムによって形成される模様領域を電気的に複数に分断することで、静電容量による真正性を機械読み取りによって識別することができる。
【図面の簡単な説明】
【０００８】
【図１】本発明の一実施例による偽造防止媒体を示す構成図
【図２】図１に示す模様領域を説明するための拡大図
【図３】本発明の他の実施例による模様領域を説明するための拡大図
【図４】本発明の更に他の実施例による模様領域を説明するための拡大図
【図５】模様領域を分離領域によって電気的に分断した場合と分断しない場合との静電容量の波形データの明暗処理画像を比較した図
【図６】本発明の更に他の実施例による偽造防止媒体を示す構成図
【発明を実施するための形態】
【０００９】
本発明の第１の実施の形態による偽造防止媒体は、模様領域を分離領域によって電気的に複数に分断し、分断した模様領域は、分断しない場合の模様領域に対して、測定される静電容量の波形データに違いが生じるものである。本実施の形態によれば、ホログラムによって視覚的に偽造防止を図れるとともに、ホログラムによって形成される模様領域を電気的に複数に分断することで、静電容量による真正性を機械読み取りによって識別することができる。
【００１０】
本発明の第２の実施の形態は、第１の実施の形態による偽造防止媒体において、分離領域が視覚的に模様領域における模様の一部を形成するものである。本実施の形態によれば、視覚的には電気的な分断が判別し難く、偽造防止効果を高めることができる。  
【００１１】
本発明の第３の実施の形態は、第１又は第２の実施の形態による偽造防止媒体において、ホログラムが、ストライプ型ホログラムであり、ストライプ型ホログラムが、基材の一対の対向する辺の間に、一方の辺から他方の辺にわたって貼付され、模様領域を、一方の辺の側に配置される一方側模様領域と、他方の辺の側に配置される他方側模様領域と、一方側模様領域と他方側模様領域との間に配置される中央側模様領域とに、分離領域によって電気的に分断するものである。本実施の形態によれば、一方向に長い模様領域とすることができるとともに、一方向に長い模様領域を少なくても３つに電気的に分断することで、静電容量による真正性識別力を高めることができる。
【００１２】
本発明の第４の実施の形態は、第１から第３のいずれかの実施の形態による偽造防止媒体において、ホログラム層が、光学的回析層と光反射層とを有し、分離領域を光反射層に形成するものである。本実施の形態によれば、金属などの導電性材料で形成される光反射層を分断することで、容易に静電容量の違いを生じさせることができる。
【実施例】
【００１３】
以下本発明の一実施例による偽造防止媒体について説明する。図１は本実施例による偽造防止媒体を示す構成図であり、図１（ａ）は同偽造防止媒体の一方の面、図１（ｂ）は同偽造防止媒体のホログラムの構成を示している。
【００１４】
本実施例による偽造防止媒体は、主に、銀行券、旅券、有価証券、パスポート、株券、商品券、印紙、チケット、紙幣、又は証明書である。偽造防止媒体として用いる基材１は、印刷可能な材料であり、紙やプラスチックシートが用いられる。基材１は、紙やプラスチックシートを単体で用いたものでもよいが、紙とプラスチックシートとの積層体でもよく、また紙の少なくとも一面をコーティングしたものでもよい。
【００１５】
偽造防止媒体は、図１（ａ）に示すように、基材１の一方の面の一部にはホログラム２０が貼付されている。本実施例の偽造防止媒体では、ストライプ型ホログラム２０を、基材１に貼付した状態を示している。ストライプ型ホログラム２０は、基材１の一対の対向する辺の間に、一方の辺から他方の辺に渡って貼付される。
【００１６】
ホログラム２０は、図１（ｂ）に示すように、保護層２、光学的回折層３、光反射層４、及び接着剤層５が順に積層され、光学的回折層３と光反射層４とでホログラム層６を形成している。光反射層４は、光を反射する金属などの導電性材料で形成され、以下に説明する分離領域３１、３２、３３、３４、３５は、少なくとも光反射層４の一部を除去することで形成することができる。
【００１７】
ホログラム２０には、ホログラム層６により輪郭で囲まれて単一形態として視覚的に認識される模様領域３０が形成されている。ホログラム層６は、例えば陰影が付加されることで立体感を持って視認される構造であってもよい。例えばリップマンホログラムやエンボスホログラムを用いることができる。また、ホログラム２０には、例えばレリーフ型ホログラムやレインボー型ホログラムを用いることができる。
【００１８】
図２は図１に示す模様領域を説明するための拡大図であり、図２（ａ）は図１に示す模様領域であり、図２（ｂ）は図２（ａ）の模様領域を説明するための比較例である。
【００１９】
すなわち、模様領域３０は、分離領域３１によって一方の辺の側に配置される一方側模様領域３０Ａと、分離領域３２によって他方の辺の側に配置される他方側模様領域３０Ｂとに電気的に分断し、また、分離領域３１及び分離領域３２によって一方側模様領域３０Ａと他方側模様領域３０Ｂとの間に配置される中央側模様領域３０Ｃとに電気的に分断している。分離領域３１は、一方側の輪郭３０Ｘに至る一方分断部３１ａと、他方側の輪郭３０Ｙに至る他方分断部３１ｂとを有している。一方分断部３１ａと他方分断部３１ｂとの間に形成される分離領域３１は、視覚的に模様領域３０における模様の一部を形成している。同様に、分離領域３２は、一方の輪郭３０Ｘに至る一方分断部３２ａと、他方の輪郭３０Ｙに至る他方分断部３２ｂとを有している。一方分断部３２ａと他方分断部３２ｂとの間に形成される分離領域３２は、視覚的に模様領域３０における模様の一部を形成している。図２（ｂ）に示す模様領域３００は、図２（ａ）に示す分離領域３１、３２を形成していない。従って、一方の輪郭３０Ｘと他方の輪郭３０Ｙとは連続している。
【００２０】
図３は本発明の他の実施例による模様領域を説明するための拡大図であり、図３（ａ）は本実施例による模様領域であり、図３（ｂ）は図３（ａ）の模様領域を説明するための比較例である。なお、図３は図２に相当する図であり、その他の構成は図１と同様であるため説明を省略する。
【００２１】
図３（ａ）に示すように、本実施例による模様領域３０は、分離領域３１、３２によって電気的に複数に分断している。すなわち、模様領域３０は、分離領域３１によって一方の辺の側に配置される一方側模様領域３０Ａと、分離領域３２によって他方の辺の側に配置される他方側模様領域３０Ｂとに電気的に分断し、また、分離領域３１及び分離領域３２によって一方側模様領域３０Ａと他方側模様領域３０Ｂとの間に配置される中央側模様領域３０Ｃとに電気的に分断している。分離領域３１は、一方側の輪郭３０Ｘに至る一方分断部３１ａと、他方側の輪郭３０Ｙに至る他方分断部３１ｂとを有している。一方分断部３１ａと他方分断部３１ｂとの間に形成される分離領域３１は、視覚的に模様領域３０における模様の一部を形成している。同様に、分離領域３２は、一方の輪郭３０Ｘに至る一方分断部３２ａと、他方の輪郭３０Ｙに至る他方分断部３２ｂとを有している。一方分断部３２ａと他方分断部３２ｂとの間に形成される分離領域３２は、視覚的に模様領域３０における模様の一部を形成している。図３（ｂ）に示す模様領域３００は、図３（ａ）に示す分離領域３１、３２を形成していない。従って、一方の輪郭３０Ｘと他方の輪郭３０Ｙとは連続している。
【００２２】
図４は本発明の更に他の実施例による模様領域を説明するための拡大図であり、図４（ａ）は本実施例による模様領域であり、図４（ｂ）は図４（ａ）の模様領域を説明するための比較例である。なお、図４は図２に相当する図であり、その他の構成は図１と同様であるため説明を省略する。
【００２３】
図４（ａ）に示すように、本実施例による模様領域３０は、分離領域３３によって電気的に複数に分断している。すなわち、模様領域３０は、分離領域３３によって、一方の辺の側に配置される一方側模様領域３０Ａと、他方の辺の側に配置される他方側模様領域３０Ｂとに電気的に分断している。分離領域３３は、一方側の輪郭３０Ｘに至る一方分断部３３ａと、他方側の輪郭３０Ｙに至る他方分断部３３ｂとを有している。一方分断部３３ａと他方分断部３３ｂとの間に形成される分離領域３３は、視覚的に模様領域３０における模様の一部を形成している。図４（ｂ）に示す模様領域３００は、図４（ａ）に示す分離領域３３を形成していない。従って、一方の輪郭３０Ｘと他方の輪郭３０Ｙとは連続している。
【００２４】
図５は模様領域を分離領域によって電気的に分断した場合と分断しない場合との静電容量の波形データの明暗処理画像を比較した図であり、図５（ａ）は分離領域によって電気的に分断した模様領域、図５（ｂ）は分離領域によって電気的に分断しない模様領域、図５（ｃ）は図５（ａ）における静電容量の波形データを明暗処理した画像、図５（ｄ）は図５（ｂ）における静電容量の波形データを明暗処理した画像である。
【００２５】
図５（ａ）に示す模様領域３０には分離領域３４を形成し、図５（ｂ）に示す模様領域３００には図５（ａ）に示すような分離領域３４を形成していない。図５（ｃ）及び図５（ｄ）に示すように、分断した模様領域３０は、分断しない場合の模様領域３００に対して、測定される静電容量の波形データに違いが生じている。従って、本実施例によれば、ホログラム２０によって視覚的に偽造防止を図れるとともに、ホログラム２０によって形成される模様領域３０を電気的に複数に分断することで、静電容量による真正性を機械読み取りによって識別することができる。
【００２６】
図６は本発明の更に他の実施例による偽造防止媒体を示す構成図であり、図６（ａ）は同偽造防止媒体の一方の面、図６（ｂ）は本実施例による模様領域を説明するための拡大図であり、その他の構成は図１と同様であるため説明を省略する。
【００２７】
図６（ａ）に示すように、本実施例の偽造防止媒体では、パッチ型ホログラム２０は、基材１Ｂの辺から所定距離離した位置に貼付される。図６（ｂ）に示すように、本実施例による模様領域３０は、分離領域３５によって電気的に複数に分断している。すなわち、模様領域３０は、分離領域３５によって、一方側模様領域３０Ａと他方側模様領域３０Ｂとに電気的に分断している。分離領域３５は、一方側の輪郭３０Ｘに至る一方分断部３５ａと、他方側の輪郭３０Ｙに至る他方分断部３５ｂとを有している。一方分断部３５ａと他方分断部３５ｂとの間に形成される分離領域３５は、視覚的に模様領域３０における模様の一部を形成している。
【００２８】
なお、本実施例では、接着剤層５を有するホログラム２０として説明したが、接着剤層５を有することなく、熱及び圧力によって箔転写することもでき、すき込みによって基材１に形成してもよい。また、本実施例における模様領域３０は、輪郭で囲まれて単一形態として視覚的に認識されるものであるが、例えば、漢数字の「一、二、三、四、五」では、「一、四、五」が、輪郭で囲まれて単一形態として視覚的に認識されるものである。漢数字の「二」は、輪郭で囲まれて視覚的に認識される形態は２つであり、漢数字の「三」は、輪郭で囲まれて視覚的に認識される形態は３つであり、いずれも輪郭で囲まれて単一形態として視覚的に認識されるものではない。ただし、漢数字の「二、三」が一筆書きで表現される場合には、輪郭で囲まれて単一形態として視覚的に認識されるものとなる。
【００２９】
本実施例によれば、図２から図４、及び図６に示すように、分離領域３１、３２、３３、３５が視覚的に模様領域３０における模様の一部を形成することで、視覚的には電気的な分断が判別し難く、偽造防止効果を高めることができる。また、図２から図４に示す実施例のように、基材１の一対の対向する辺の間に、一方の辺から他方の辺にわたって貼付されるストライプ型ホログラム２０を用いることで、一方向に長い模様領域３０とすることができるとともに、一方向に長い模様領域３０を少なくても３つに電気的に分断することで、静電容量による真正性識別力を高めることができる。
【産業上の利用可能性】
【００３０】
本発明は、視認によって偽造防止を図ることができるとともに、機械読み取りによる自動判別を行うこともできる。
【符号の説明】
【００３１】
１、１Ｂ  基材
２  保護層
３  光学的回折層
４  光反射層
５  接着剤層
６  ホログラム層
２０  ホログラム
３０、３００  模様領域
３０Ａ  一方側模様領域
３０Ｂ  他方側模様領域
３０Ｃ  中央側模様領域
３０Ｘ、３０Ｙ  輪郭
３１、３２、３３、３４、３５  分離領域
３１ａ、３２ａ、３３ａ、３５ａ  一方分断部
３１ｂ、３２ｂ、３３ｂ、３５ｂ  他方分断部
【要約】
【課題】  ホログラムによって視覚的に偽造防止を図れるとともに、ホログラムによって形成される模様領域を利用して静電容量による真正性を識別できる偽造防止媒体を提供する。
【解決手段】  本発明の偽造防止媒体は、基材１の一部にホログラム２０を有し、ホログラム２０には、ホログラム層６により輪郭３０Ｘ、３０Ｙで囲まれて単一形態として視覚的に認識される模様領域３０が形成された偽造防止媒体であって、模様領域３０を分離領域３１、３２、３３、３５によって電気的に複数に分断し、分断した模様領域３０は、分断しない場合の模様領域３０に対して、測定される静電容量の波形データに違いが生じることを特徴とする。
【選択図】  図１【図１】
0006757878.tif 000002
【図２】
0006757878.tif 000003
【図３】
0006757878.tif 000004
【図４】
0006757878.tif 000005
【図５】
0006757878.tif 000006
【図６】
0006757878.tif 000007